(57)【特許請求の範囲】
【請求項１】
互いに交差する複数の走査線及びデータ線と、複数の画素部と、複数の単位色に相当する光を時分割で前記複数の画素部に供給可能な光源とを備える表示装置を駆動する表示装置の駆動方法であって、
前記複数の走査線は、各々がｍ（ｍは４以上の自然数）本ずつの走査線からなる第１から第ｎ（ｎは２以上の自然数）グループで構成され、
フレーム画像を構成する前記単位色毎のフィールド画像の各々は、第１から第ｍサブフィールド期間で構成され、
前記第１サブフィールド期間において、前記第１から第ｎグループを順次に、各グループに含まれるｍ本の走査線に、同時に走査信号を供給する第１走査工程と、
前記第１サブフィールド期間において、選択されたグループに含まれる第１の走査線に対応する画像信号を、前記データ線に供給する第１画像信号供給工程と、
前記第２サブフィールド期間において、前記第１から第ｎグループを順次に、前記第１の走査線を除き、各グループに含まれるｍ−１本の走査線に、同時に前記走査信号を供給する第２走査工程と、
前記第２サブフィールド期間において、選択されたグループに含まれる第２の走査線に対応する画像信号を、前記データ線に供給する第２画像信号供給工程と、
前記第３サブフィールド期間において、前記第１から第ｎグループを順次に、前記第１と前記第２の走査線を除き、各グループに含まれるｍ−２本の走査線に、同時に前記走査信号を供給する第３走査工程と、
前記第３サブフィールド期間において、選択されたグループに含まれる第３の走査線に対応する画像信号を、前記データ線に供給する第３画像信号供給工程と、
前記第４サブフィールド期間において、前記第１から第ｎグループを順次に、前記第１から第３の走査線を除き、各グループに含まれるｍ−３本の走査線に、同時に前記走査信号を供給する第４走査工程と、
前記第４サブフィールド期間において、選択されたグループに含まれる第４の走査線に対応する画像信号を、前記データ線に供給する第４画像信号供給工程と
を備えることを特徴とする表示装置の駆動方法。
【請求項２】
前記第ｍサブフィールド期間において、前記第１から第ｎグループを順次に、前記第１から第ｍ−１の走査線を除き、各グループに含まれるｍ−（ｍ−１）本の走査線に、前記走査信号を供給する第ｍ走査工程と、
前記第ｍサブフィールド期間において、選択されたグループに含まれる第ｍの走査線に対応する画像信号を、前記データ線に供給する第ｍ画像信号供給工程と
を更に備えることを特徴とする請求項１に記載の表示装置の駆動方法。
【請求項３】
前記第１サブフィールド期間に、前記光源により前記光が供給されず、
前記第２サブフィールド期間以降に、前記光源により前記光が供給される
ことを特徴とする請求項１又は２に記載の表示装置の駆動方法。
【請求項４】
互いに交差して配置された複数の走査線及びデータ線と、該走査線及びデータ線の交差に対応して配置された複数の画素部と、複数の単位色に相当する光を時分割で前記画素部に供給可能な光源とを備える表示装置の駆動回路であって、
前記複数の走査線は、各々がｍ（ｍは４以上の自然数）本ずつの走査線からなる第１から第ｎ（ｎは２以上の自然数）グループで構成され、
フレーム画像を構成する前記単位色毎のフィールド画像の各々は、第１から第ｍサブフィールド期間で構成され、
前記駆動回路は、
前記第１サブフィールド期間において、前記第１から第ｎグループを順次に、各グループに含まれるｍ本の走査線に、同時に走査信号を供給し、
前記第１サブフィールド期間において、選択されたグループに含まれる第１の走査線に対応する画像信号を、前記データ線に供給し、
前記第２サブフィールド期間において、前記第１から第ｎグループを順次に、前記第１の走査線を除き、各グループに含まれるｍ−１本の走査線に、同時に前記走査信号を供給し、
前記第２サブフィールド期間において、選択されたグループに含まれる第２の走査線に対応する画像信号を、前記データ線に供給し、
前記第３サブフィールド期間において、前記第１から第ｎグループを順次に、前記第１と前記第２の走査線を除き、各グループに含まれるｍ−２本の走査線に、同時に前記走査信号を供給し、
前記第３サブフィールド期間において、選択されたグループに含まれる第３の走査線に対応する画像信号を、前記データ線に供給し、
前記第４サブフィールド期間において、前記第１から第ｎグループを順次に、前記第１から第３の走査線を除き、各グループに含まれるｍ−３本の走査線に、同時に前記走査信号を供給し、
前記第４サブフィールド期間において、選択されたグループに含まれる第４の走査線に対応する画像信号を、前記データ線に供給する
ことを特徴とする表示装置の駆動回路。
【請求項５】
前記駆動回路は、更に、
前記第ｍサブフィールド期間において、前記第１から第ｎグループを順次に、前記第１から第ｍ−１の走査線を除き、各グループに含まれるｍ−（ｍ−１）本の走査線に、前記走査信号を供給し、
前記第ｍサブフィールド期間において、選択されたグループに含まれる第ｍの走査線に対応する画像信号を、前記データ線に供給する
ことを特徴とする請求項４に記載の表示装置の駆動回路。
【請求項６】
請求項４又は５に記載の表示装置の駆動回路を備えることを特徴とする電気光学装置。
【請求項７】
請求項６に記載の電気光学装置を具備してなることを特徴とする電子機器。
【発明の詳細な説明】
【技術分野】
【０００１】
本発明は、フィールドシーケンシャル（ＦＳ）方式により表示装置を駆動する表示装置の駆動方法及び回路、並びに、当該駆動方法により駆動される、例えば液晶装置等の電気光学装置、更に該電気光学装置を備えて構成される電子機器の技術分野に関する。
【背景技術】
【０００２】
フィールドシーケンシャル（ＦＳ）方式は、表示装置において、典型的には１枚のカラーのフレーム画像を表示するための１つのフレーム期間が、複数の単位色として、赤色（Ｒ）、緑色（Ｇ）、青色（Ｂ）の３色の各々のフィールド画像を表示するための３つのフィールド期間から構成される。各フィールド期間では、各画素に対して、色別の画像データの書き込みが行われた後に、光源を点灯して対応する色の光を供給する。
【０００３】
例えば特許文献１によれば、表示領域を複数の区分領域に分割し、区分領域毎に光源を複数配置する。各フィールド期間では、区分領域における各走査線が選択されてこれに対応する画素に対する画像データの書き込みが終了した後、光源を点灯する。しかしながら、この場合、隣接する光源の明るさが異なることにより、区分領域の境で輝度ムラが生じ、カラー画像の表示品位が劣化すると共に、複数の光源の各々の動作制御が煩雑となるおそれがある。
【０００４】
これに対して、特許文献２によれば、複数の光源を配置させることなく、各フィールド期間における光源の点灯期間をより長く確保する技術が開示されている。より具体的には、各フィールド期間を第１及び第２サブフィールド期間に分割し、第１サブフィールド期間で、低解像度の画像を表示するための画像データの書き込みが行われた後に、第２サブフィールド期間で光源を点灯しつつ、第１サブフィールド期間における低解像度の画像に不足する画像データを補填的に書き込み、高解像度の画像を表示する。
【先行技術文献】
【特許文献】
【０００５】
【特許文献１】特開２００２−２２１７０２号公報
【特許文献２】特開２００６−１６３３５８号公報
【発明の概要】
【発明が解決しようとする課題】
【０００６】
しかしながら、特許文献２に開示された技術では、以下のような問題点が生じるおそれがある。即ち、第１サブフィールド期間における低解像度のライン走査に続く第２サブフィールド期間では、既に第１サブフィールド期間で対応する画像信号が供給された一の走査線を除く他のしかも大部分の走査線を、ライン走査する必要がある。このため、第２サブフィールド期間で、不規則な選択が行われる事態が生じ得る。特に、第２サブフィールド期間では走査線の選択回数が、第１サブフィールド期間における走査線グループの選択回数と比較して著しく多くなる。従って、第１及び第２サブフィールド期間で、走査線の選択に係る動作が相異なることに加え、第２サブフィールド期間における動作が複雑高度且つ煩雑となり、特に、要求される走査速度が著しく高速化しかねないという技術的問題点が生じる。
【０００７】
本発明は、例えば上述した問題点に鑑みなされたものであり、走査線の選択を簡略化させ或いは走査速度を低下させつつ、ＦＳ方式による表示装置の駆動を行うことが可能な表示装置の駆動方法及び回路、該駆動回路を備えた電気光学装置、及び該電気光学装置を備えた電子機器を提供することを課題とする。
【課題を解決するための手段】
【０００８】
本発明の第１の表示装置の駆動方法は上記課題を解決するために、互いに交差する複数の走査線及びデータ線と、該走査線及びデータ線の交差に対応して形成される複数の画素部と、複数の単位色に相当する光を時分割で前記画素部に供給可能な光源とを備える表示装置を駆動する表示装置の駆動方法であって、フレーム画像を構成する前記単位色毎のフィールド画像の各々を、前記単位色毎のフィールド期間の各々が分割されてなる第１から第ｎ（但し、ｎは２以上の自然数）サブフィールド期間に対応して前記走査線別に示す画像信号を、前記データ線に供給する画像信号供給工程と、前記第１サブフィールド期間に、前記走査線のうちｍ（但し、ｍは２以上の自然数）本の走査線からなるグループに含まれる第ｉ（但し、ｉはｍ以下の自然数）走査線に対応する前記画像信号の供給に同期して、前記グループ別にまとめて走査信号を前記走査線に供給することで、前記データ線に沿った方向に、前記グループ単位のライン走査を実行する第１走査工程と、前記第２サブフィールド期間に、前記グループに含まれる第ｊ（但し、ｊはｉと異なるｍ以下の自然数）走査線に対応する前記画像信号の供給に同期して、前記第ｊ走査線に走査信号を供給することで、前記グループ単位のライン走査と同一走査速度で、前記第ｊ走査線を走査対象とする所定本数おきのライン走査を実行する第２走査工程とを備える。
【０００９】
本発明の第１の表示装置の駆動方法によれば、例えば液晶装置である表示装置は、次のようにＦＳ方式で駆動される。
【００１０】
即ち、一方で、例えばＲＧＢの単位色毎のフィールド画像の各々を第１から第ｎサブフィールド期間に対応して走査線別に示す画像信号は、例えばデータ線駆動回路、又はデータ信号若しくは画像信号供給装置によって、データ線に供給される。
【００１１】
他方で、先ず第１走査工程によって、第１サブフィールド期間に、走査信号は、ｍ本の走査線からなるグループに含まれる第ｉ走査線に対応する画像信号の供給に同期して、グループ別にまとめて走査線に供給される。これにより、典型的にはデータ線に沿った方向（例えば、Ｙ方向或いは縦方向）に相隣接するｍ本のグループ単位での、謂わば低解像度のライン走査が実行される。この際、最終的に表示されるべき走査線別の画像信号と走査線とが正規に合致しているのは、ｍ本の走査線のうち第ｉ走査線のみである。即ち、この時点における解像度は、データ線に沿った方向について本来のフィールド画像の解像度に対して１／ｍに対応する。但し、例えば風景、人物像、アニメーション、コンピュータ画像等々の人間が視察可能な画像においては、データ線に沿って並ぶ複数の画素間における、表示すべき画像の輝度や色彩の差は、一般に小さい。従って、この時点で、或いは後続の第２走査工程の後に、光源による光の供給を行うことで、このような低解像度のサブフィールド画像を表示しても、視覚上は相応に理解可能な画像となる。
【００１２】
尚、好ましくは、この第１走査工程を行っている最中には、光源による光の供給を行わないでよく、実際にこのような低解像度の画像は、表示されなくてよい。
【００１３】
次に第２走査工程によって、第２サブフィールド期間に、走査信号は、グループに含まれる第ｊ走査線に対応する画像信号の供給に同期して、第ｊ走査線に供給される。これにより、グループ単位のライン走査と同一走査速度で、第ｊ走査線を走査対象とする所定本数おきのライン走査が実行される。この際、最終的に表示されるべき走査線別の画像信号と走査線とが正規に合致しているのは、ｍ本の走査線のうち第ｉ及び第ｊ走査線の２本である。
【００１４】
このように、第２走査工程後における解像度は、データ線に沿った方向について本来のフィールド画像の解像度に対して２／ｍに対応するものへと向上されている。よって、この時点で、光の供給を行うことで、第１走査工程の直後より顕著に解像度に勝るサブフィールド画像を表示できる。
【００１５】
尚、この第２走査工程の最中に、光の供給を行わないことで、実際にこのような画像は、表示されなくてもよい。即ち、第３サブフィールド以降で解像度を更に高めた上で、光の供給を行うことで、第２走査工程の直後より解像度に勝るサブフィールド画像を表示してもよい。但し、光源による光の供給を遅らせると、表示画像が暗くなるので、解像度と輝度とに係る装置仕様や要望に応じて、どの時点から光を供給するかを決めればよい。
【００１６】
しかも、第ｊ走査線を走査対象とする第２走査工程では、第１走査工程におけるグループ単位のライン走査と同一走査速度で、所定本数おきのライン走査が実行される。このため、走査信号の供給については、一定の走査速度で行えばよいので、走査信号の供給に係る装置構成及び制御動作は、簡単或いは容易なもので済む。例えば、後述のイネーブル信号を用いれば、一定の走査速度でのライン走査は簡単に実行可能となる。この際、前述の背景技術の如く、第２サブフィールド期間以降で可変或いは高速のライン走査は不要である。特に、第２サブフィールド期間或いはそれ以降では、第１サブフィールド期間とは異なり、グループにつき一本ずつ走査線を走査すればよいので、そのための装置構成及び制御動作は、基本的に簡単或いは容易なもので済む。
【００１７】
他方で、画像信号の供給タイミングについてもサブフィールド期間毎に走査線別の画像信号を順次供給すれば済むので、画像信号の供給に係る装置構成及び制御動作も、基本的に簡単或いは容易なもので済む。
【００１８】
以上のように走査線の選択を簡略化でき、走査速度を相対的に低下させつつ或いは走査速度の高速化を抑制しつつ、ＦＳ方式による表示装置の駆動を行える。
【００１９】
本発明の第１の表示装置の駆動方法の一態様では、前記第３サブフィールド期間以降に、前記走査線のうち、前記第ｉ及び第ｊ走査線を含むライン走査済みの走査線を除く、他の走査線に対応する前記画像信号の供給に夫々同期して、前記他の走査線に走査信号を順次供給することで、前記同一走査速度で、前記他の走査線を走査対象とする所定本数おきのライン走査を順次実行する後続走査工程を更に備え、前記後続走査工程では、前記フィールド期間毎に、前記走査線の全てに対して対応する前記画像信号の供給が実行されるまで前記ライン走査が実行される。
【００２０】
この態様によれば、後続走査工程によって、第３サブフィールド期間以降に、走査信号は、従前のサブフィールド期間で既に対応する画像信号の供給が実行されたライン走査済みの走査線を除く、他の走査線に対応する画像信号の供給に夫々同期して、他の走査線に順次供給される。
【００２１】
典型的には、第３サブフィールド期間に、走査信号は、第１及び第２サブフィールド期間で既に対応する画像信号の供給が実行された第ｉ及び第ｊ走査線を除く、第ｋ（但し、ｋはｉ又はｊと異なる自然数）走査線に対応する画像信号の供給に同期して、第ｋ走査線に供給される。更に、第４サブフィールド期間に、走査信号は、第１、第２及び第３サブフィールド期間で既に対応する画像信号の供給が実行された第ｉ、第ｊ及び第ｋ走査線を除く、第Ｌ（但し、Ｌはｉ、ｊ又はｋと異なる自然数）走査線に対応する画像信号の供給に同期して、第Ｌ走査線に供給される。更に、同様のライン走査が、対応する画像信号が供給されていない、各グループ中の残余の走査線を対象にして行われる。
【００２２】
後続走査工程では、フィールド期間毎に、走査線の全てに対して対応する画像信号の供給が実行されるまで、このようなライン走査が、走査対象が変更されつつ繰り返して実行される。
【００２３】
よって、後続走査工程では、最終的に表示されるべき走査線別の画像信号と走査線とが正規に合致しているのは、後のサブフィールド期間になればなるほど、多くなり、ついには、全ての走査線について合致を見る。
【００２４】
このように、後続走査工程により得られる解像度は、データ線に沿った方向について顕著に向上されている。よって、後続走査工程の任意の時点で、光の供給を行うことで、第１走査工程の直後より顕著に解像度に勝るサブフィールド画像を表示できる。言い換えれば、同一フィールド期間中には、後続走査工程におけるサブフィールド期間別のライン走査が実行されるに連れて、視覚上は解像度が徐々に向上してくる。よって、走査速度を高めることで、第１走査工程直後のサブフィールド画像の存在により（或いはこれに加えて第２走査工程直後のサブフィールド画像の存在により）、視覚上で低解像度との印象を殆ど与えないようにすることも可能である。
【００２５】
しかも、他の走査線を走査対象とする後続走査工程では、第１走査工程におけるグループ単位のライン走査と同一走査速度で、所定本数おきのライン走査が実行される。このため、走査信号の供給については、一定の走査速度で行えばよいので、走査信号の供給に係る装置構成及び制御動作は、非常に簡単或いは容易なもので済む。特に、第３サブフィールド期間或いはそれ以降では、第１サブフィールド期間とは異なり、第２サブフィールドと同様に、グループにつき一本ずつ走査線を走査すればよいので、そのための装置構成及び制御動作も、非常に簡単或いは容易なもので済む。
【００２６】
本発明の第２の表示装置の駆動方法は上記課題を解決するために、互いに交差する複数の走査線及びデータ線と、該走査線及びデータ線の交差に対応して形成される複数の画素部と、複数の単位色に相当する光を時分割で前記画素部に供給可能な光源とを備える表示装置を駆動する表示装置の駆動方法であって、フレーム画像を構成する前記単位色毎のフィールド画像の各々を、前記単位色毎のフィールド期間の各々が分割されてなる第１から第ｎ（但し、ｎは２以上の自然数）サブフィールド期間に対応して前記走査線別に示す画像信号を、前記データ線に供給する画像信号供給工程と、前記第１サブフィールド期間に、前記走査線のうちｍ（但し、ｍは２以上の自然数）本の走査線からなるグループに含まれる第ｉ（但し、ｉはｍ以下の自然数）走査線に対応する前記画像信号の供給に同期して、前記グループ別にまとめて走査信号を前記走査線に供給することで、前記データ線に沿った方向に、前記グループ単位のライン走査を実行する第１走査工程と、前記第２サブフィールド期間に、前記グループに含まれる第ｊ（但し、ｊはｉと異なるｍ以下の自然数）走査線に対応する前記画像信号の供給に同期して、前記グループから前記第ｉ走査線を除外し且つ前記第ｊ走査線を含めた残余のグループ別にまとめて走査信号を供給することで、前記グループ単位のライン走査と同一走査速度で、前記残余のグループ単位のライン走査を実行する第２走査工程とを備える。
【００２７】
本発明の第２の表示装置の駆動方法によれば、例えば液晶装置である表示装置は、次のようにＦＳ方式で駆動される。
【００２８】
即ち、一方で、例えばＲＧＢの単位色毎のフィールド画像の各々を第１から第ｎサブフィールド期間に対応して走査線別に示す画像信号は、例えばデータ線駆動回路、又はデータ信号若しくは画像信号供給装置によって、データ線に供給される。
【００２９】
他方で、先ず第１走査工程によって、第１サブフィールド期間に、走査信号は、ｍ本の走査線からなるグループに含まれる第ｉ走査線に対応する画像信号の供給に同期して、グループ別にまとめて走査線に供給される。これにより、典型的にはデータ線に沿った方向（例えば、Ｙ方向或いは縦方向）に相隣接するｍ本のグループ単位での、謂わば低解像度のライン走査が実行される。この際、最終的に表示されるべき走査線別の画像信号と走査線とが正規に合致しているのは、ｍ本の走査線のうち第ｉ走査線のみである。即ち、この時点における解像度は、データ線に沿った方向について本来のフィールド画像の解像度に対して１／ｍに対応する。但し、例えば風景、人物像、アニメーション、コンピュータ画像等々の人間が視察可能な画像においては、データ線に沿って並ぶ複数の画素間における、表示すべき画像の輝度や色彩の差は、一般に小さい。従って、この時点で、或いは後続の第２走査工程の後に、光源による光の供給を行うことで、このような低解像度のサブフィールド画像を表示しても、視覚上は相応に理解可能な画像となる。
【００３０】
尚、好ましくは、この第１走査工程を行っている最中には、光源による光の供給を行わないでよく、実際にこのような低解像度の画像は、表示されなくてよい。
【００３１】
次に第２走査工程によって、第２サブフィールド期間に、走査信号は、グループに含まれる第ｊ走査線に対応する前記画像信号の供給に同期して、グループから第ｉ走査線を除外し且つ第ｊ走査線を含めた残余のグループ別にまとめて、供給される。これにより、グループ単位のライン走査と同一走査速度で、残余のグループ単位のライン走査が実行される。典型的には、ｍ本の走査線のうち、第ｉ走査線を除くｍ−１本の走査線を残余のグループとして、一本おきの或いは一本間引かれた形式でのライン走査が実行される。この際、最終的に表示されるべき走査線別の画像信号と走査線とが正規に合致しているのは、ｍ本の走査線のうち第ｉ及び第ｊ走査線の２本である。
【００３２】
このように、第２走査工程後における解像度は、データ線に沿った方向について本来のフィールド画像の解像度に対して２／ｍに対応するものへと向上されている。よって、この時点で、光の供給を行うことで、第１走査工程の直後より顕著に解像度に勝るサブフィールド画像を表示できる。
【００３３】
尚、この第２走査工程の最中に、光の供給を行わないことで、実際にこのような画像は、表示されなくてもよい。即ち、第３サブフィールド以降で解像度を更に高めた上で、光の供給を行うことで、第２走査工程の直後より解像度に勝るサブフィールド画像を表示してもよい。但し、光源による光の供給を遅らせると、表示画像が暗くなるので、解像度と輝度とに係る装置仕様や要望に応じて、どの時点から光を供給するかを決めればよい。
【００３４】
しかも、第２走査工程では、第１走査工程におけるグループ単位のライン走査と同一走査速度で、残余のグループ単位のライン走査が実行される。このため、走査信号の供給については、一定の走査速度で行えばよいので、走査信号の供給に係る装置構成及び制御動作は、簡単或いは容易なもので済む。例えば、後述のイネーブル信号を用いれば、一定の走査速度でのライン走査は簡単に実行可能となる。この際、前述の背景技術の如く、第２サブフィールド期間以降で可変或いは高速のライン走査は不要である。
【００３５】
他方で、画像信号の供給タイミングについてもサブフィールド期間毎に走査線別の画像信号を順次供給すれば済むので、画像信号の供給に係る装置構成及び制御動作も、基本的に簡単或いは容易なもので済む。
【００３６】
以上のように走査線の選択を簡略化でき、走査速度を相対的に低下させつつ或いは走査速度の高速化を抑制しつつ、ＦＳ方式による表示装置の駆動を行える。特に、第ｉ走査線に対応する画像信号が最後のライン走査まで残る上述した本発明の第１の表示装置の駆動方法と比べて、走査線毎の画素に対して供給される画像信号は、各走査線に対応する画像信号でなくとも、より近くに位置する走査線に対応する画像信号に逐次置き換えられていく分だけ、解像度がより早期に高められる。
【００３７】
本発明の第２の表示装置の駆動方法の一態様では、前記第３サブフィールド期間以降に、前記走査線のうち、前記第ｉ及び第ｊ走査線を含むライン走査済みの走査線を除く、他の走査線に対応する前記画像信号の供給に夫々同期して、前記残余のグループから前記第ｊ走査線を除外し且つ前記他の走査線を含めた更に残余のグループ別にまとめて走査信号を順次供給することで、前記同一走査速度で、前記更に残余のグループ単位のライン走査を順次実行する後続走査工程を更に備え、前記後続走査工程では、前記フィールド期間毎に、前記走査線の全てに対して対応する前記画像信号の供給が実行されるまで前記ライン走査が実行される。
【００３８】
この態様によれば、後続走査工程によって、第３サブフィールド期間以降に、走査信号は、従前のサブフィールド期間で既に対応する画像信号の供給が実行されたライン走査済みの走査線を除く、他の走査線に対応する画像信号の供給に夫々同期して、該ライン走査済みの走査線を除外し且つ該他の走査線を含めた“更に残余のグループ”別にまとめて順次供給される。
【００３９】
典型的には、第３サブフィールド期間に、走査信号は、第１及び第２サブフィールド期間で既に対応する画像信号の供給が実行された第ｉ及び第ｊ走査線を除く、第ｋ（但し、ｋはｉ又はｊと異なる自然数）走査線に対応する画像信号の供給に同期して、第ｋ走査線を含む“更に残余のグループ”に供給される。ここでは“更に残余のグループ”とは、ｍ本の走査線のうち、第ｉ及び第ｊ走査線を除くｍ−２本の走査線となる。更に、第４サブフィールド期間に、走査信号は、第１、第２及び第３サブフィールド期間で既に対応する画像信号の供給が実行された第ｉ、第ｊ及び第ｋ走査線を除く、第Ｌ（但し、Ｌはｉ、ｊ又はｋと異なる自然数）走査線に対応する画像信号の供給に同期して、第Ｌ走査線を含む“更に残余のグループ”に供給される。ここでは“更に残余のグループ”とは、ｍ本の走査線のうち、第ｉ、第ｊ及び第ｋ走査線を除くｍ−３本の走査線となる。更に、同様のライン走査が、対応する画像信号が供給されていない、各グループ中の残余の走査線からなる“更に残余のグループ”を対象にして行われる。
【００４０】
後続走査工程では、フィールド期間毎に、走査線の全てに対して対応する画像信号の供給が実行されるまで、即ち“更に残余のグループ”を構成する走査線の本数が１本となってのライン走査が完了されるまで、このようなライン走査が、走査対象が変更されつつ繰り返して実行される。
【００４１】
よって、後続走査工程では、最終的に表示されるべき走査線別の画像信号と走査線とが正規に合致しているのは、後のサブフィールド期間になればなるほど、多くなり、ついには、全ての走査線について合致を見る。
【００４２】
このように、後続走査工程により得られる解像度は、データ線に沿った方向について顕著に向上されている。よって、後続走査工程の任意の時点で、光の供給を行うことで、第１走査工程の直後より顕著に解像度に勝るサブフィールド画像を表示できる。言い換えれば、同一フィールド期間中には、後続走査工程におけるサブフィールド期間別のライン走査が実行されるに連れて、視覚上は解像度が徐々に向上してくる。よって、走査速度を高めることで、第１走査工程直後のサブフィールド画像の存在により（或いはこれに加えて第２走査工程直後のサブフィールド画像の存在により）、視覚上で低解像度との印象を殆ど与えないようにすることも可能である。
【００４３】
しかも、他の走査線を含めた“更に残余のグループ”を走査対象とする後続走査工程では、第１走査工程におけるグループ単位のライン走査と同一走査速度で、所定本数おきのライン走査が実行される。このため、走査信号の供給については、一定の走査速度で行えばよいので、走査信号の供給に係る装置構成及び制御動作は、非常に簡単或いは容易なもので済む。
【００４４】
本発明の第１又は第２の表示装置の駆動方法の他の態様では、前記第１サブフィールド期間に、前記光源により前記光が供給されず、前記第２サブフィールド期間以降に、前記光源により前記光が供給される。
【００４５】
この態様によれば、サブフィールド画像における解像度が最も低い第１サブフィールド期間には、光源による光の供給を行わないことで、画像表示が行われない。続いて、サブフィールド画像における解像度が顕著に高められた第２サブフィールド期間以降には、光源による光の供給を行うことで、画像表示が行わる。よって、解像度と明るさとを実践上適度に両立させることが可能となる。
【００４６】
本発明の第１の表示装置の駆動回路は上記課題を解決するために、互いに交差する複数の走査線及びデータ線と、該走査線及びデータ線の交差に対応して形成される複数の画素部と、複数の単位色に相当する光を時分割で前記画素部に供給可能な光源とを備える表示装置を駆動する表示装置の駆動回路であって、フレーム画像を構成する前記単位色毎のフィールド画像の各々を、前記単位色毎のフィールド期間の各々が分割されてなる第１から第ｎ（但し、ｎは２以上の自然数）サブフィールド期間に対応して前記走査線別に示す画像信号を、前記データ線に供給する画像信号供給手段と、前記第１サブフィールド期間に、前記走査線のうちｍ（但し、ｍは２以上の自然数）本の走査線からなるグループに含まれる第ｉ（但し、ｉはｍ以下の自然数）走査線に対応する前記画像信号の供給に同期して、前記グループ別にまとめて走査信号を前記走査線に供給することで、前記データ線に沿った方向に、前記グループ単位のライン走査を実行し、前記第２サブフィールド期間に、前記グループに含まれる第ｊ（但し、ｊはｉと異なるｍ以下の自然数）走査線に対応する前記画像信号の供給に同期して、前記第ｊ走査線に走査信号を供給することで、前記グループ単位のライン走査と同一走査速度で、前記第ｊ走査線を走査対象とする所定本数おきのライン走査を実行する走査手段とを備える。
【００４７】
本発明の第１の表示装置の駆動回路は、上述した本発明の第１の表示装置の駆動方法と同様に、走査線の選択を簡略化でき、走査速度を相対的に低下させつつ或いは走査速度の高速化を抑制しつつ、ＦＳ方式による表示装置の駆動を行える。
【００４８】
尚、本発明の第１の表示装置の駆動回路においても、上述した本発明の第１の表示装置の駆動方法における各種態様と同様の各種態様を採ることが可能である。
【００４９】
本発明の第２の表示装置の駆動回路は上記課題を解決するために、互いに交差する複数の走査線及びデータ線と、該走査線及びデータ線の交差に対応して形成される複数の画素部と、複数の単位色に相当する光を時分割で前記画素部に供給可能な光源とを備える表示装置を駆動する表示装置の駆動回路であって、フレーム画像を構成する前記単位色毎のフィールド画像の各々を、前記単位色毎のフィールド期間の各々が分割されてなる第１から第ｎ（但し、ｎは２以上の自然数）サブフィールド期間に対応して前記走査線別に示す画像信号を、前記データ線に供給する画像信号供給手段と、前記第１サブフィールド期間に、前記走査線のうちｍ（但し、ｍは２以上の自然数）本の走査線からなるグループに含まれる第ｉ（但し、ｉはｍ以下の自然数）走査線に対応する前記画像信号の供給に同期して、前記グループ別にまとめて走査信号を前記走査線に供給することで、前記データ線に沿った方向に、前記グループ単位のライン走査を実行し、前記第２サブフィールド期間に、前記グループに含まれる第ｊ（但し、ｊはｉと異なるｍ以下の自然数）走査線に対応する前記画像信号の供給に同期して、前記グループから前記第ｉ走査線を除外し且つ前記第ｊ走査線を含めた残余のグループ別にまとめて走査信号を供給することで、前記グループ単位のライン走査と同一走査速度で、前記残余のグループ単位のライン走査を実行する走査手段とを備える。
【００５０】
本発明の第２の表示装置の駆動回路は、上述した本発明の第２の表示装置の駆動方法と同様に、走査線の選択を簡略化でき、走査速度を相対的に低下させつつ或いは走査速度の高速化を抑制しつつ、ＦＳ方式による表示装置の駆動を行える。
【００５１】
尚、本発明の第２の表示装置の駆動回路においても、上述した本発明の第２の表示装置の駆動方法における各種態様と同様の各種態様を採ることが可能である。
【００５２】
本発明の電気光学装置は上記課題を解決するために、上述した本発明の第１又は第２の表示装置の駆動回路と、前記走査線及びデータ線と、前記画素部と、前記光源とを備える。
【００５３】
本発明の電気光学装置によれば、上述した本発明の第１又は第２の表示装置の駆動回路と同様に、走査線の選択を簡略化でき、走査速度を相対的に低下させつつ或いは走査速度の高速化を抑制しつつ、ＦＳ方式による表示装置の駆動を行える。
【００５４】
本発明の電子機器は上記課題を解決するために、上述した本発明の電気光学装置を具備してなる。
【００５５】
本発明の電子機器によれば、上述した本発明の電気光学装置を具備してなるので、高品位な表示を行うことが可能な、投射型表示装置、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。
【００５６】
本発明のこのような作用及び他の利得は次に説明する実施するための最良の形態から明らかにされる。
【図面の簡単な説明】
【００５７】
【図１】液晶装置の全体構成を示すブロック図である。
【図２】液晶パネルの電気的な構成を示すブロック図である。
【図３】本実施形態に係る液晶装置の画像表示領域を構成するマトリクス状に形成された複数の画素における各種素子、配線等の等価回路図である。
【図４】走査線駆動回路１０４の構成の一例を示す図である。
【図５】１フレームにおける走査線の垂直走査を説明するためのタイミングチャートである。
【図６】走査線駆動回路の動作を説明するためのタイミングチャートである。
【図７】１フィールドにおける走査線の選択を説明するための模式図である。
【図８】第１実施形態において、１フィールドで、低解像度のライン走査から始まって画像信号が画素に書き込まれていく様子を示す、画像表示領域の図式的な拡大平面図である。
【図９】１フィールドで、低解像度のライン走査なしに、画像信号が画素に書き込まれていく様子を示す、画像表示領域の図式的な拡大平面図である。
【図１０】比較例について、１フィールドにおいて画素部を駆動するための各種信号の経時的変化を示すタイミングチャートである。
【図１１】比較例について、１フィールドにおける走査線の選択を説明するための模式図である。
【図１２】第２実施形態について、１フレームにおける走査線の垂直走査を説明するためのタイミングチャートである。
【図１３】第２実施形態における走査線駆動回路の動作を説明するためのタイミングチャートである。
【図１４】第２実施形態について、１フィールドにおける走査線の選択を説明するための模式図である。
【図１５】第２実施形態において、１フィールドで、低解像度のライン走査から始まって画像信号が画素に書き込まれていく様子を示す、画像表示領域の図式的な拡大平面図である。
【図１６】液晶装置の構成を示す平面図である。
【図１７】図１６のＨ−Ｈ´線断面図である。
【図１８】電気光学装置を適用した電子機器の一例たるプロジェクタの構成を示す平面図である。
【発明を実施するための形態】
【００５８】
以下では、本発明に係る駆動方法及び回路、更には本発明に係る駆動方法により駆動される電気光学装置、並びに電子機器の各実施形態について図を参照しつつ説明する。なお、以下の各実施形態では、表示装置の一例である電気光学装置として、駆動回路内蔵型のＴＦＴアクティブマトリクス駆動方式の液晶装置を例に挙げて説明する。
【００５９】
＜第１実施形態＞
先ず、液晶装置の全体構成について、図１及び図２を参照して説明する。ここに、図１は、液晶装置の全体構成を示すブロック図であり、図２は、液晶パネルの電気的な構成を示すブロック図である。
【００６０】
図１に示すように、液晶装置は、主要部として、液晶パネル１００、光源２００、コントローラ５００、フレームメモリ６００、及び電源回路７００を備える。
【００６１】
コントローラ５００は、例えばＣＰＵ（Central Processing Unit）等の論理演算回路を含んで構成される。具体的には、コントローラ５００には、画像信号供給回路５０２、タイミング制御回路５０４、及び光源制御回路５０６が含まれる。
【００６２】
コントローラ５００には、水平同期信号Ｈｓ及び垂直同期信号Ｖｓ、ドットクロックＤＣＬＫ、並びに表示データＲ−ＤＡＴＡ、Ｇ−ＤＡＴＡ及びＢ−ＤＡＴＡが供給される。これらの各種の供給信号は、例えば液晶装置外のビデオデッキ等の外部装置（図示省略）で生成されるか、このような外部装置からのソース信号に基づいて液晶装置内の回路（図示省略）で生成されて、コントローラ５００に供給される。
【００６３】
画像信号供給回路５０２には、水平同期信号Ｈｓ、垂直同期信号Ｖｓ及びドットクロックＤＣＬＫ、並びに表示データＲ−ＤＡＴＡ、Ｇ−ＤＡＴＡ及びＢ−ＤＡＴＡが供給される。
【００６４】
ここに、本実施形態では、一例として、表示データＲ−ＤＡＴＡ、Ｇ−ＤＡＴＡ及びＢ−ＤＡＴＡが、１枚のカラーのフレーム画像を構成する複数の単位色のフィールド画像として、Ｒ、Ｇ、Ｂの３色の各々のフィールド画像を表示するための画像データであることを前提とする。即ちこの場合、Ｒ画像（即ちＲフィールド画像）を表示するための表示データＲ−ＤＡＴＡ、Ｇ画像（即ちＧフィールド画像）を表示するための表示データＧ−ＤＡＴＡ、及びＢ画像（即ちＢフィールド画像）を表示するための表示データＢ−ＤＡＴＡがコントローラ５００に供給される。
【００６５】
画像信号供給回路５０２は、例えば、表示データＲ−ＤＡＴＡ、Ｇ−ＤＡＴＡ及びＢ−ＤＡＴＡに基づいて、１枚のカラーのフレーム画像を表示するための１フレーム（即ちフレーム期間）毎に、Ｒ、Ｇ、Ｂの各々の画像を順次にフィールド（即ちフィールド期間）毎に表示するための３種のフィールドデータ（即ちフィールド画像を示す画像データ）を生成する。画像信号供給回路５０２は、生成した３種のフィールドデータをフレームメモリ６００に一時的に蓄積し、１フィールドを構成する各サブフィールドで３種のフィールドデータのうち、対応する色（Ｒ、Ｇ、Ｂのうちの一色）の画像を表示するためのフィールドデータを、ライン走査用の順番で読み出す。
【００６６】
画像信号供給回路５０２は、読み出した１種のフィールドデータに対して所定の処理を行い、一の走査線に対して走査信号が供給される周期に同期して、走査線に沿った画素行毎の、即ち走査ライン毎の画像信号Ｖｄを生成する。ここにいう所定の処理として例えば、画像信号供給回路５０２では、１種のフィールドデータをシリアル−パラレル変換して、Ｎ相、例えば６相（Ｎ＝６）の画像信号Ｖｄ１〜Ｖｄ６を生成してもよい。更に、画像信号供給回路５０２では、生成した画像信号Ｖｄの電位を、所定の周期（例えば、一の走査線に対して走査信号が供給される周期、１サブフィールド周期、或いは１フィールド周期、１フレーム周期）で所定の基準電位に対して正極性（＋）及び負極性（−）に反転した後、画像信号Ｖｄを出力するようにしてもよい。
【００６７】
タイミング制御回路５０４は、各種タイミング信号を出力するように構成されている。具体的には、タイミング制御回路５０４は、水平同期信号Ｈｓ、垂直同期信号Ｖｓ及びドットクロックＤＣＬＫに基づいて、Ｙクロック信号ＣＬＹ（及びその反転信号である反転Ｙクロック信号ＣＬＹｉｎｖ）、Ｘクロック信号ＣＬＸ（及びその反転信号である反転Ｘクロック信号ＸＣＬｉｎｖ）、ＹスタートパルスＤＹ及びＸスタートパルスＤＸが生成される。更に、タイミング制御回路５０４において、後述する走査信号の出力タイミングを決定する４種のイネーブル信号ＥＮＢ１〜ＥＮＢ４が生成される。
【００６８】
これら各種タイミング信号は、タイミング制御回路５０４から出力され、コントローラ５００内の各部に加えて、後述する液晶パネル１００に搭載される内部駆動回路の各部においても使用される。
【００６９】
また、光源２００は、その詳細な内部構成については図示を省略してあるが、複数の単位色として、Ｒ、Ｇ、Ｂの３色の各々の各色毎に、Ｒ、Ｇ、Ｂの各々に相当する光を時分割で、液晶パネル１００の各画素部に供給可能なように構成される。具体的には、光源２００は、例えば複数の発光ダイオード（ＬＥＤ：Light Emitting Diode）から構成されており、複数のＬＥＤは夫々、Ｒ（赤色）、Ｇ（緑色）、Ｂ（青色）に相当する光を時分割で出射する。即ち、複数のＬＥＤは、発光期間が互いに重ならないように、夫々周期的に光を出射する。出射された光は、例えば合成プリズム等によって合成されて、液晶パネル１００へと照射される。尚、一つの光源２００から色調が異なる複数の光が、時分割で出射されるようにしてもよい。
【００７０】
光源制御回路５０６は、１フレームにおける各フィールドで、光源２００の動作を制御する。
【００７１】
また、電源回路７００は、所定の共通電位ＬＣＣの共通電源を液晶パネル１００に供給する。液晶パネル１００においては、例えば、画素部毎に設けられた画素電極と対向するように対向電極が形成されるが（詳細は後述する）、電源回路７００より対向電極に共通電源ＬＣＣが供給される。なお、電源回路７００は、コントローラ５００内に設けられるようにしてもよい。
【００７２】
次に、図２を参照して液晶パネル１００における電気的な構成について説明する。
【００７３】
図２において、液晶パネル１００における画像表示領域１０ａには、複数の走査線１１ａ及び複数のデータ線６ａが互いに交差して配線され、これら交差に対応して画素に対応する画素部９がマトリクス状に設けられている。画素部９は、走査線１１ａ及びデータ線６ａの各々に電気的に接続されている。
【００７４】
図２において、画像表示領域１０ａの周辺に位置する周辺領域には、データ線駆動回路１０１及びサンプリング回路７、並びに走査線駆動回路１０４が設けられている。
【００７５】
走査線駆動回路１０４は、本発明に係る「走査手段」の一例を構成し、タイミング制御回路５０４より、Ｙクロック信号ＣＬＹ（及び反転Ｙクロック信号ＣＬＹｉｎｖ（図示せず））、ＹスタートパルスＤＹが供給される。走査線駆動回路１０４は、ＹスタートパルスＤＹが入力されると、Ｙクロック信号ＣＬＹ及び反転Ｙクロック信号ＣＬＹｉｎｖに基づくタイミングで走査信号を順次生成して走査線１１ａに出力する。
【００７６】
より具体的には、後述するように、Ｙクロック信号ＣＬＹ（反転Ｙクロック信号ＣＬＹｉｎｖ）、及びＹスタートパルスＤＹが供給されることによって、基本的な線順次の水平走査が可能となっている。更に、走査線駆動回路１０４は、タイミング制御回路５０４より供給されたイネーブル信号ＥＮＢ１〜ＥＮＢ４に基づくタイミングで、後述するような順序で走査信号を出力する。
【００７７】
データ線駆動回路１０１には、タイミング制御回路５０４より、Ｘクロック信号ＣＬＸ（及び反転Ｘクロック信号ＣＬＸｉｎｖ（図示せず））、ＸスタートパルスＤＸが供給される。そして、データ線駆動回路１０１は、ＸスタートパルスＤＸが入力されると、Ｘクロック信号ＣＬＸ（及び反転Ｘクロック信号ＣＬＸｉｎｖ）に基づくタイミングで、サンプリング信号Ｓ１、…、Ｓｎを生成して順次に出力する。
【００７８】
サンプリング回路７は、画像信号線６から画像信号が供給されるデータ線６ａを選択するためにデータ線６ａ毎に設けられたスイッチング素子（即ち、サンプリングスイッチ）７１からなり、そのスイッチング動作は、データ線駆動回路１０１からのサンプリング信号Ｓ１、…、Ｓｎによってタイミング制御されるように構成されている。
【００７９】
サンプリング回路７には、画像信号Ｖｄが、画像信号供給回路５０２により６相にシリアル−パラレル変換、即ち相展開された画像信号Ｖｄ１〜Ｖｄ６として、６本の画像信号線６を介して供給される。６本の画像信号線６は夫々、画像信号Ｖｄの入力端子（後述する外部回路接続端子）から、データ線駆動回路１０１の周囲を迂回して引き回され、データ線６ａの配列方向（即ち、Ｘ方向）に沿って配線されている。
【００８０】
サンプリング回路７において、Ｎ個、本実施形態では６個のサンプリングスイッチ７１を１群とし、１群に属するサンプリングスイッ７１には夫々、サンプリング信号Ｓｉ（ｉ＝１、２、・・・、ｎ）が入力される。１群に属するサンプリングスイッチ７１は、Ｎ本、本実施形態では６本のデータ線６ａを１群とし、１群に属するデータ線６ａに対し、サンプリング信号Ｓｉに応じて、画像信号Ｖｄをサンプリングして供給する。即ち、１群に属するサンプリングスイッチ７１を介して、１群に属するデータ線６ａと画像信号線６が電気的に接続される。従って、本実施形態では、画像表示領域１０ａに配線された複数のデータ線６ａを１群に属するデータ線６ａ毎に駆動するため、駆動周波数が抑えられる。
【００８１】
なお、このように１群のデータ線６ａに画像信号が供給される構成に限られず、各データ線６ａ毎に順次に画像信号が供給されるように構成してもよい。
【００８２】
ここに、本実施形態では、本発明に係る「画像信号供給手段」の一例が、コントローラ５００における画像信号供給回路５０２、並びに液晶パネル１００内に搭載されたデータ線駆動回路１０１及びサンプリング回路７を含んで構成される。
【００８３】
図２において、電源回路７００から共通電源として供給される共通電位ＬＣＣは、対向電極に電気的に接続される入力端子（後述する上下導通端子）１０６に供給される。共通電位ＬＣＣは、各画素部９の画素電極との電位差を適正に保持して液晶保持容量を形成するための対向電極の基準電位となる。
【００８４】
ここに、図２に示す画素部９の電気的な構成について、図３を参照して説明する。ここに図３は、本実施形態に係る液晶装置の画像表示領域を構成するマトリクス状に形成された複数の画素における各種素子、配線等の等価回路図である。
【００８５】
図２において、画像表示領域１０ａを構成するマトリクス状に形成された複数の画素部９の夫々には、図３に示すように、画素電極９ａ及びＴＦＴ３０が形成されている。ＴＦＴ３０は、画素電極９ａに電気的に接続されており、液晶装置の動作時に画素電極９ａをスイッチング制御する。データ線６ａは、ＴＦＴ３０のソースに電気的に接続され、ＴＦＴ３０のゲートに走査線１１ａが電気的に接続されている。画素電極９ａは、ＴＦＴ３０のドレインに電気的に接続されている。
【００８６】
所定のタイミングで、走査線１１ａに走査線駆動回路１０４からの走査信号がパルス的に印加されると、スイッチング素子であるＴＦＴ３０を一定期間だけそのスイッチを閉じることにより、データ線６ａから供給される画像信号Ｖｄが所定のタイミングで画素電極９ａに書き込まれる。画素電極９ａを介して電気光学物質の一例としての液晶に書き込まれた所定レベルの画像信号Ｖｄに対応する印加電圧は、対向電極との間で一定期間保持される。
【００８７】
液晶は、印加される電圧レベルにより分子集合の配向や秩序が変化することにより、光を変調し、階調表示を可能とする。ノーマリーホワイトモードであれば、各画素の単位で印加された電圧に応じて入射光に対する透過率が減少し、ノーマリーブラックモードであれば、各画素の単位で印加された電圧に応じて入射光に対する透過率が増加され、全体として液晶装置からは画像信号に応じたコントラストをもつ光が出射される。
【００８８】
ここで保持された画像信号Ｖｄがリークすることを防ぐために、画素電極９ａと対向電極との間に形成される液晶容量と並列に蓄積容量７０が付加されている。蓄積容量７０は、画像信号Ｖｄの供給に応じて各画素電極９ａの電位を一時的に保持する保持容量として機能する容量素子である。蓄積容量７０の一方の電極は、画素電極９ａと並列してＴＦＴ３０のドレインに接続され、他方の電極は、定電位となるように、電位固定の容量線３００に接続されている。蓄積容量７０によれば、画素電極９ａにおける電位保持特性が向上し、コントラスト向上やフリッカの低減といった表示特性の向上が可能となる。
【００８９】
次に、図１から図３に加えて、図４から図９を参照して液晶装置の動作について説明する。
【００９０】
先ず、図４を参照して、図２に示す走査線駆動回路１０４の詳細な構成について説明する。図４には、走査線駆動回路１０４の構成の一例を示してある。なお、図２において画像表示領域１０ａを挟んで向かい合う２つの走査線駆動回路１０４は、好ましくは互いに同様の構成を有する。以下では、２つの走査線駆動回路１０４のうち一方に着目して、その構成を詳細に説明する。
【００９１】
図４において、走査線駆動回路１０４の主要部には、Ｙクロック信号ＣＬＹ（及び反転Ｙクロック信号ＣＬＹｉｎｖ）並びにＹスタートパルスＤＹが入力されるシフトレジスタ１４１と、各走査線１１ａに対応して設けられるＡＮＤ回路１４２とが含まれる。
【００９２】
本実施形態では、４本の走査線１１ａを１群とする走査線グループ毎にシフトレジスタ１４１の出力がなされると共に、各走査線グループにおける走査線１１ａは夫々、４種のイネーブル信号ＥＮＢ１〜ＥＮＢ４のいずれかに基づいて、対応するＡＮＤ回路１４２により選択されて、走査信号Ｇ１、・・・、Ｇｍが供給される。例えば、イネーブル信号ＥＮＢ１〜ＥＮＢ４を同時に供給すれば、シフトレジスタ１４１の出力信号ＳＲ１に対応して、走査線グループに対し、走査信号Ｇ１〜Ｇ４が同時に供給される。或いは、イネーブル信号ＥＮＢ１〜ＥＮＢ４を順次に供給すれば、シフトレジスタ１４１の出力信号ＳＲ１に対応して、走査線グループに対し、走査信号Ｇ１〜Ｇ４が順次に供給される。
【００９３】
次に、ＦＳ方式による１枚のカラーのフレーム画像を表示する場合の液晶装置の動作について、より詳細に説明する。ここに、図５は、１フレームにおける走査線の垂直走査（即ち一画面の走査）を説明するためのタイミングチャートである。図６は、走査線駆動回路の動作を説明するためのタイミングチャートであり、図７は、１フィールドにおける走査線の選択を説明するための模式図である。図８は、第１実施形態における画像信号が各画素に書き込まれていく様子を示す、画像表示領域の図式的な拡大平面図である。
【００９４】
尚、以下では、説明を簡略化して本発明の特徴について理解を容易にするために、図７に示すように、走査線１１ａの総本数ｍ＝８とし、シストレジスタ１４１の出力信号ＳＲ１〜ＳＲ２に応じて、走査信号Ｇ１〜Ｇ８が供給されるものとして説明する。実際には、既に図４に示したように、シフトレジスタ１４１の出力信号ＳＲ１〜ＳＲ1/mに応じて、より多くの走査信号Ｇ１〜Ｇｍが供給される。
【００９５】
図５に示すように、１枚のカラーのフレーム画像を表示するための１フレームは、時間時上でＲ、Ｇ、Ｂの３色の各々の画像を表示するためのＲフィールド、Ｇフィールド、及びＢフィールドに分割されている。即ち、本実施形態では、典型的な一例として、１枚のカラーのフレーム画像を表示するために、複数の単位色としてＲ、Ｇ、Ｂの３色の各々のフィールド画像が、各フィールドで順次に表示される。
【００９６】
ここで、図５におけるＲフィールド、Ｇフィールド、及びＢフィールドの各々の１フィールドあたりの液晶装置の動作について、図６及び図７を参照して説明する。
【００９７】
図６に示すように、１フィールドは時間軸上で、等間隔である第１から第４（ｎ＝４）サブフィールドＳＦ１〜ＳＦ４に分割されている。
【００９８】
図６において、第１から第４サブフィールドＳＦ１〜ＳＦ４の各々では、走査線駆動回路１０４において、シフトレジスタ１４１から順次に、１水平走査期間毎に出力信号ＳＲ１及びＳＲ２が出力される。ここでは、走査線１１ａの総本数ｍ＝８として説明するため、この場合に限って、出力信号ＳＲ１及びＳＲ２は、１水平走査期間毎に交互に出力されることとなる。
【００９９】
図６において、第１から第４サブフィールドＳＦ１〜ＳＦ４のうち、第１サブフィールドＳＦ１では、４種のイネーブル信号ＥＮＢ１〜ＥＮＢ４は、１水平走査期間毎に一斉にローレベルからハイレベルに立ち上がる。
【０１００】
ここに、図５から図７において、図中の記号マル１〜記号マル８は、１フィールドにおける走査信号Ｇｊ（但し、ｊ＝１、２、３、・・・、ｍ、ここではｍ＝８）の出力順序及びこれに対応する走査線１１ａの選択順序を示している。即ち、１フィールドにおいて走査信号Ｇｊが、記号マル１は第１番目に出力されることを意味しており、記号マル２は、第２番目に出力されることを意味しており、以下記号マル３〜記号マル８も夫々同様の出力順序を意味する。なお、この点については、後述する各図についても同様である。
【０１０１】
図６において、第１サブフィールドＳＦ１では、最初の１水平走査期間で、出力信号ＳＲ１及び４種のイネーブル信号ＥＮＢ１〜ＥＮＢ４に基づいて、走査信号Ｇ１〜Ｇ４が一斉に出力され、続いて、次の１水平走査期間で、出力信号ＳＲ２及び４種のイネーブル信号ＥＮＢ１〜ＥＮＢ４に基づいて、走査信号Ｇ５〜Ｇ８が一斉に出力される。このように第１サブフィールドでは、４本の走査線１１ａが属する走査線グループの単位で、縦方向にライン走査が実行される。
【０１０２】
図７（ａ）に示すように、第１サブフィールドＳＦ１では先ず、走査信号Ｇ１が供給される走査線に対応する画像信号が、図１に示す画像信号供給回路５０２からデータ線６ａに供給される。すると、４本の走査線１１ａからなる走査線グループに対応する４行の画素行（上側４行）に対して、走査信号Ｇ１に対応する同一の画像信号が書き込まれることになる。
【０１０３】
即ち、図８の第１サブフィールドＳＦ１にあるように、画像表示領域１０ａにおいて、太線で囲まれた４本の走査線からなる走査線グループＳＧに対応する４行の画素行に対する低解像度の書き込みが行われる。即ち、これらの４行の画素行中、１番上の走査線に対応する画素行だけが、各画素に付与された記号“Ｔ”で示されるように、本来供給されるべき画像信号が書き込まれる。それ以外の３本の走査線に対応する３行の画素行に対しては、各画素に付与された記号“〃”で示されるように、本来供給されるべきではない画像信号（しかし、走査線が近いが故に、ある程度似ている画像信号）が暫定的に書き込まれる。
【０１０４】
続いて図７（ａ）に示すように、第１サブフィールドＳＦ１では更に、走査信号Ｇ５が供給される走査線に対応する画像信号が、図１に示す画像信号供給回路５０２から、データ線６ａに供給される。すると、４本の走査線１１ａからなる走査線グループに対応する４行の画素行（下側４行）に対して、走査信号Ｇ５に対応する同一の画像信号が書き込まれることになる。
【０１０５】
即ち、図８の第１サブフィールドＳＦ１にあるように、画像表示領域１０ａにおいて、太線で囲まれた４本の走査線からなる走査線グループＳＧに対応する４行の画素行に対する低解像度の書き込みが行われる。即ち、これらの４行の画素行中、１番上の走査線に対応する画素行だけが、本来供給されるべき画像信号が書き込まれる。それ以外の３本の走査線に対応する３行の画素行に対しては、本来供給されるべきではない画像信号が暫定的に書き込まれる。
【０１０６】
第１サブフィールドＳＦ１では、以上のように走査線グループに対応する４行の画素行毎に、同一の画像信号Ｖｄが供給されることにより、画像表示領域１０ａにおいては、Ｒ、Ｇ、Ｂのうち対応する一の色の低解像度のサブフィールド画像を表示することが可能となる。この時点における解像度は、図８中で、太線で囲まれた４つの画素からなる縦長の矩形領域により規定される。
【０１０７】
ここに好ましくは、図５に示すように、第１サブフィールドＳＦ１における画像信号Ｖｄの書き込み期間が開始され、且つ終了されるまでは、図１に示す光源制御回路５０６は、光源２００を消灯させる。従って、第１サブフィールドＳＦ１における書き込み期間中に、画像が表示されることはない。
【０１０８】
次に、第１サブフィールドＳＦ１に続く、第２から第４サブフィールドＳＦ２〜ＳＦ４の各々では、図５及び図６に示すように、４種のイネーブル信号ＥＮＢ１〜ＥＮＢ４のうち、３種のイネーブル信号ＥＮＢ２〜ＥＮＢ４のいずれか一つが、１水平走査期間毎にローレベルからハイレベルに立ち上がる。
【０１０９】
第２サブフィールドＳＦ２では、図５及び図６に示すように、供給順序が第３番目及び第４番目となる走査信号Ｇ２及びＧ６が夫々順次に、１水平走査期間毎に出力される。
【０１１０】
図７（ｂ）に示すように、第２サブフィールドＳＦ２では先ず、走査信号Ｇ２が供給される走査線に対応する画像信号が、図１に示す画像信号供給回路５０２からデータ線６ａに供給される。すると、上側４本の走査線１１ａからなる走査線グループについては、上から２行目の画素行に対して、走査信号Ｇ２に対応する画像信号が書き込まれることになる。
【０１１１】
即ち、図８の第２サブフィールドＳＦ２にあるように、画像表示領域１０ａにおいて４本の走査線からなる走査線グループＳＧに対応する４行の画素行中、太線で囲まれた上から２行目に対し、各画素に付与された記号“Ｔ”で示されるように、本来供給されるべき画像信号が書き込まれる。他方で、一番上の行については、既に第１サブフィールドＳＦ１で本来供給されるべき画像信号が書き込まれる。それら以外の２本の走査線に対応する下側２行の画素行に対しては、各画素に付与された記号“〃”で示されるように、本来供給されるべきではない画像信号が暫定的に書き込まれた状態が継続している。
【０１１２】
続いて図７（ｂ）に示すように、第２サブフィールドＳＦ２では更に、走査信号Ｇ６が供給される走査線に対応する画像信号が、図１に示す画像信号供給回路５０２から、データ線６ａに供給される。すると、下側４本の走査線１１ａからなる走査線グループについては、上から２行目の画素行に対して、走査信号Ｇ６に対応する画像信号が書き込まれることになる。
【０１１３】
即ち、図８の第２サブフィールドＳＦ２にあるように、画像表示領域１０ａにおいて４本の走査線からなる走査線グループＳＧに対応する４行の画素行中、太線で囲まれた上から２行目に対し、本来供給されるべき画像信号が書き込まれる。他方で、一番上の行については、既に第１サブフィールドＳＦ１で本来供給されるべき画像信号が書き込まれる。それら以外の２本の走査線に対応する下側２行の画素行に対しては、本来供給されるべきではない画像信号が暫定的に書き込まれた状態が継続している。
【０１１４】
同様に、図５、図６及び図７（ｃ）に示すように、第３サブフィールドＳＦ３では、供給順序が第５番目及び第６番目となる走査信号Ｇ３及びＧ７が夫々順次に、１水平走査期間毎に出力される。これにより、図８の第３サブフィールドＳＦ３にあるように、走査信号Ｇ３及びＧ７に対応する太線で囲まれた画素行に対して、本来供給されるべき画像信号が書き込まれる。
【０１１５】
同様に、図５、図６及び図７（ｄ）に示すように、第４サブフィールドＳＦ４では、供給順序が第７番目及び第８番目となる走査信号Ｇ４及びＧ８が夫々順次に、１水平走査期間毎に出力される。これにより、図８の第４サブフィールドＳＦ４にあるように、走査信号Ｇ４及びＧ８に対応する太線で囲まれた画素行に対して、本来供給されるべき画像信号が書き込まれる。
【０１１６】
以上説明したような第２から第４サブフィールドＳＦ２〜ＳＦ４の各々で、画像信号Ｖｄの書き込みが行われることで、各画素部の画素電極９ａの電位は、第１サブフィールドＳＦ１で暫定的に書き込まれた画像信号Ｖｄに基づく電位から、本来書き込まれるべき画像信号Ｖｄに基づく電位となる。
【０１１７】
ここに好ましくは、図５に示すように、各フィールドでは、第１サブフィールドＳＦ１における画像信号Ｖｄの書き込み期間が終了された後から、或いは、第２サブフィールドＳＦ２における画像信号Ｖｄの書き込み期間が開始される前から、図１に示す光源制御回路５０６は、光源２００を点灯させる。従って、第２サブフィールドＳＦ２以降では、表示画像は、その解像度が低解像度から本来の解像度へと向上されながら、表示される。尚、光源２００の点灯期間の終了は、第４サブフィールドの後の帰線期間Ｔ０の終了時とする。
【０１１８】
このように画像表示領域１０ａでは、第４サブフィールドＳＦ４における画像信号Ｖｄの書き込みが終了した後、各画素部において、Ｒ、Ｇ、Ｂのうち対応する一の色のフィールド画像を、本来の解像度で、即ち高解像度で表示することが可能となる。この高解像度での表示に至る以前に、第１サブフィールドＳＦ１における画像信号Ｖｄの書き込みが終了した後、各画素部において、Ｒ、Ｇ、Ｂのうち対応する一の色のフィールド画像を、低解像度で表示することが可能となる。
【０１１９】
ここで図８及び図９を参照して、低解像度のライン走査を第１サブフィールドＳＦ１で実行することによる効果について検討を加える。ここに、図９は、低解像度のライン走査なしとした場合における、画像信号が画素に書き込まれていく様子を示す、図８と同趣旨の拡大平面図である。
【０１２０】
図９に示すように、第１サブフィールドＳＦ１で、低解像度のライン走査を行うことなく、単純に走査線グループの一番上の行に相当する、太線で囲まれた画素行に対して、本来の画像信号が書き込まれるとする。この場合、第２サブフィールドＳＦ２から第４サブフィールドＳＦ４での画像信号の書き込み動作自体は、図８及び図９から分かるように同一である。しかしながら、図９においては、ライン走査の順番が回ってくるまで、暫定的な画像信号が供給されない。このため、第４サブフィールドＳＦ４が終わるまで、何ら書き込みが行われていない画素行が残ってしまう。この書き込みが行われていない画素については、従前のフィールドによる画像信号が残存していたり、帰線期間に黒一色等にリセットされた画像信号が残存していたりするので、図８の場合と比べて、解像度が劣ると共に明るさも劣ることとなる。
【０１２１】
これに対して、本実施形態によれば、図５〜図８に示したように、第１サブフィールドで低解像度のライン走査を行うので、任意の時点における解像度が大なり小なり高いことになる。このように、本実施形態によれば、明るさと解像度とをバランスよく向上させることが可能である。
【０１２２】
以上図５から図９を参照して説明したように液晶装置が駆動されることにより、図５におけるＲフィールドでは、明るさと解像度とにバランスの取れたＲ画像が画像表示領域１０ａに表示される。同様に、図５におけるＧフィールドでは、明るさと解像度とにバランスの取れたＧ画像が画像表示領域１０ａに表示され、図５におけるＢフィールドでは、明るさと解像度とにバランスの取れたＢ画像が画像表示領域１０ａに表示される。
【０１２３】
特に、画像表示領域１０ａにおいて順次に表示されるＲ画像、Ｇ画像、及びＢ画像を視覚により観察した場合、視覚（人間の目）における時間的分解能の限界により、Ｒ画像、Ｇ画像、及びＢ画像が混色された１のカラー画像として感知される。ここに、Ｒ画像、Ｇ画像、及びＢ画像の各々については、各フィールドにおける光源２００の点灯開始時から終了に向かって、複数の画素部において暫定的な画像信号に基づき電圧印加される画素部の割合は少なくなっていくため、低解像度の部分が視認される割合は低くなる。よって、第１〜第３サブフィールドに表示される画像における解像度の低下は、３色の画像が混ざってなる一枚のカラー画像として認識される実際の視覚上では、かなり或いは殆ど目立たないようにできる。
【０１２４】
加えて、本実施形態によれば、特許文献１に開示されたように複数の光源を配置させなくても、複数の画素部に対して共通の光源２００から各フィールドで対応する色の光を供給し、且つ光源２００の点灯期間をより長く確保することが可能となる。
【０１２５】
尚、１フレーム毎に、Ｒ、Ｇ、及びＢフィールドは時間軸上に所定の順序で配置させることが可能である。
【０１２６】
次に、図１０及び図１１を参照して、本実施形態に対する比較例について説明する。図１０は、比較例について、１フィールドにおいて画素部を駆動するための各種信号の経時的変化を示すタイミングチャートであり、図１１は、比較例について、１フィールドにおける走査線の選択を説明するための模式図である。尚、以下では、比較例について本実施形態と異なる点についてのみ説明する。
【０１２７】
比較例では、図１０に示すように、１フィールドを時間軸上で、長さの相異なる第１及び第２サブフィールドＳＦ１及びＳＦ２に分割する。
【０１２８】
第１サブフィールドＳＦ１では、走査線駆動回路１０４（図４参照）において、最初の１水平走査期間で、シフトレジスタ１４１の出力信号ＳＲ１及び４種のイネーブル信号ＥＮＢ１〜ＥＮＢ４に基づいて、第１番目の走査信号Ｇ１〜Ｇ４が一斉に出力され、続いて、次の１水平走査期間で、出力信号ＳＲ２及び４種のイネーブル信号ＥＮＢ１〜ＥＮＢ４に基づいて、第２番目の走査信号Ｇ５〜Ｇ８が一斉に出力される。
【０１２９】
一方、図１に示す画像信号供給回路５０２では、第１サブフィールドＳＦ１では、１水平走査期間毎に第１画像信号Ｖｄ１ｋを生成する。
【０１３０】
よって図１１（ａ）に示すように、第１サブフィールドＳＦ１では、第１番目の走査信号Ｇ１〜Ｇ４に基づいて、第１番目の走査線グループに対応する４行の画素行に属する画素部に第１画像信号Ｖｄ１ｋが書き込まれ、第２番目の走査信号Ｇ５〜Ｇ８に基づいて、第２番目の走査線グループに対応する４行の画素行に属する画素部に第１画像信号Ｖｄ１ｋが書き込まれる。
【０１３１】
続いて、第２サブフィールドＳＦ２では、第３から第５番目の走査信号Ｇ２〜Ｇ４が夫々順次に、１水平走査期間毎に出力され、第６から第８番目の走査信号Ｇ６〜Ｇ８が夫々順次に、１水平走査期間毎に出力される。
【０１３２】
従って、第２サブフィールドＳＦ２では、各走査線グループにおいて、一本目の走査線１１ａをおいて、走査信号Ｇ２〜Ｇ４又は走査信号Ｇ６〜Ｇ８が夫々供給され、第２画像信号Ｖｄ２ｋが供給されていない走査線１１ａが順次に選択される。
【０１３３】
一方、図１に示す画像信号供給回路５０２は、第２サブフィールドＳＦ２で、１水平走査期間毎に第２画像信号Ｖｄ２ｋを生成する。
【０１３４】
よって図１１（ｂ）に示すように、第３から第５番目の走査信号Ｇ２〜Ｇ４並びに第６から第８番目の走査信号Ｇ６〜Ｇ８に応じて、各走査線グループでは一本目の走査線１１ａをおいて、二本目から四本目までの走査線１１ａが夫々選択され、これらの走査線１１ａに対応する各行の画素部に第２画像信号Ｖｄ２ｋが書き込まれる。
【０１３５】
従って、比較例においては、第２サブフィールドＳＦ２では、各走査線１１ａの選択が規則的に所定の本数おきになされず、第１サブフィールドＳＦ１と比較して第２サブフィールドＳＦ２の走査線の選択回数も多くなる。よって、第１及び第２サブフィールドＳＦ１及びＳＦ２で、走査線１１ａの選択に係る動作が煩雑となり、且つ第２サブフィールドＳＦ２で走査線１１ａを選択するための走査速度が著しく高速化するという問題点が生じる。
【０１３６】
これに対して、前述の如く本実施形態によれば、第１サブフィールドと長さが同じで且つ等間隔の第２から第４サブフィールドＳＦ２〜ＳＦ４の各サブフィールドで、走査線１１ａの規則的な選択が可能となり、第２から第４サブフィールドＳＦ２〜ＳＦ４の各サブフィールドで、走査線１１ａの選択にかかるタイミングが複雑化するのを防止することができる、言い換えればより簡略化させることが可能となる。また、第２から第４サブフィールドＳＦ２〜ＳＦ４の各サブフィールドで走査線１１ａの選択を行うことで、各サブフィールドで走査線１１ａの走査速度が著しく高速化するのを防止することができる。
【０１３７】
以上詳細に説明したように、本実施形態によれば、液晶装置においてＦＳ方式により、より明るく高精細な画像をより容易に表示させることが可能となる。
【０１３８】
＜第２実施形態＞
次に、本発明の第２実施形態について、図１２から図１５を参照して説明する。第２実施形態では、１フィールドにおける第２サブフィールド以降の走査線の選択が、第１実施形態とは異なっている。従って、以下では、第１実施形態と異なる点についてのみ図を参照して説明し、第１実施形態と同様の構成については、図１から図５を参照して説明すると共に、図１３から図１２において同一の符号を付して示し、重複する説明を省略することもある。
【０１３９】
ここに、図１２は、第２実施形態について、１フレームにおける走査線の垂直走査を説明するためのタイミングチャートである。図１３は、第２実施形態における走査線駆動回路の動作を説明するためのタイミングチャートであり、図１４は、第２実施形態について、１フィールドにおける走査線の選択を説明するための模式図である。図１５は、第２実施形態における画像信号が各画素に書き込まれていく様子を示す、図９と同趣旨の拡大平面図である。
【０１４０】
尚、以下では、説明を簡略化して本発明の特徴について理解を容易にするために、図１４に示すように、走査線１１ａの総本数ｍ＝８とし、シストレジスタ１４１の出力信号ＳＲ１〜ＳＲ２に応じて、走査信号Ｇ１〜Ｇ８が供給されるものとして説明する。実際には、図４に示したように、シフトレジスタ１４１の出力信号ＳＲ１〜ＳＲ1/mに応じて、より多くの走査信号Ｇ１〜Ｇｍが供給される。
【０１４１】
図１２に示すように、第２実施形態では、１フレームを構成するＲフィールド、Ｇフィールド、及びＢフィールドの各々について、１フィールドは、第１から第４（ｎ＝４）サブフィールドＳＦ１〜ＳＦ４に分割されている。第１サブフィールドＳＦ１における動作は、４本の走査線グループの単位で低解像度のライン走査が行われており、第１実施形態のそれと同様である。
【０１４２】
図１２に示すように、第２サブフィールドＳＦ２では、走査線グループ毎に、第１サブフィールドＳＦ１で本来供給されるべき画像信号が既に供給された画素行に対応する１本の走査線を除く、残り３本の走査線グループ（即ち「残余のグループ」）の単位で、ライン走査が行われる。第３サブフィールドＳＦ３では、走査線グループ毎に、第１及び第２サブフィールドＳＦ１及びＳＦ２で本来供給されるべき画像信号が既に供給された画素行に対応する２本の走査線を除く、残り２本の走査線グループ（即ち「残余のグループ」）の単位で、ライン走査が行われる。更に、第４サブフィールドＳＦ４では、走査線グループ毎に、第１から第３サブフィールドＳＦ１〜ＳＦ３で本来供給されるべき画像信号が既に供給された画素行に対応する３本の走査線を除く、残り１本の走査線グループ（即ち「残余のグループ」）の単位でライン走査が行われている。
【０１４３】
図１３に示すように、第１サブフィールドＳＦ１では、１水平走査期間毎に、走査線駆動回路１０４（図４参照）において、シフトレジスタ１４１の出力信号ＳＲ１及びＳＲ２の各々のハイレベルとなる期間に、４種のイネーブル信号ＥＮＢ１〜ＥＮＢ４に基づいて、第１番目の走査信号Ｇ１〜Ｇ４が一斉に出力され、続いて、第２番目の走査信号Ｇ５〜Ｇ８が一斉に出力される。
【０１４４】
従って、第１サブフィールドＳＦ１では、図１４（ａ）に示されるように、第１実施形態と同様に、各画素部に画像信号Ｖｄが供給されることにより、Ｒ、Ｇ、Ｂのうち対応する一の色の低解像度の画像を表示することが可能となる。
【０１４５】
図１３において、第２から第４サブフィールドＳＦ２〜ＳＦ４の各々では、４種のイネーブル信号ＥＮＢ１〜ＥＮＢ４のうち、３種のイネーブル信号ＥＮＢ２〜ＥＮＢ４のうちいずれか一つ、及び該一のイネーブル信号と共に他のイネーブル信号も１水平走査期間毎にローレベルからハイレベルに立ち上がる。
【０１４６】
より具体的には、第２サブフィールドＳＦ２では、一のイネーブル信号ＥＮＢ２と、他のイネーブル信号ＥＮＢ３及びＥＮＢ４とが１水平走査期間毎に一斉にローレベルからハイレベルに立ち上がり、第３サブフィールドＳＦ２では、一のイネーブル信号ＥＮＢ３と、他のイネーブル信号ＥＮＢ４とが１水平走査期間毎に一斉にローレベルからハイレベルに立ち上がる。なお、第４サブフィールドＳＦ４では、一のイネーブル信号ＥＮＢ４のみが１水平走査期間毎にローレベルからハイレベルに立ち上がる。
【０１４７】
従って、第２サブフィールドＳＦ２では、第３番目の走査信号Ｇ２〜Ｇ４及び第４番目の走査信号Ｇ６〜Ｇ８が夫々順次に、１水平走査期間毎に出力される。第３サブフィールドＳＦ３では、第５番目の走査信号Ｇ３及びＧ４と、第６番目の走査信号Ｇ７及びＧ８とが夫々順次に、１水平走査期間毎に出力される。第４サブフィールドＳＦ４では、第７番目の走査信号Ｇ４及び第８番目の走査信号Ｇ８が夫々順次に、１水平走査期間毎に出力される。
【０１４８】
図１４（ｂ）に示すように、第２サブフィールドＳＦ２では先ず、走査信号Ｇ２が供給される走査線に対応する画像信号が、図１に示す画像信号供給回路５０２からデータ線６ａに供給される。すると、上側４本の走査線１１ａからなる走査線グループのうち、この走査信号Ｇ２に対応する画素行を含むと共に走査信号Ｇ１に対応する画素行を含まない３行の画素行（即ち「残余のグループ」）に対して、走査信号Ｇ２に対応する画像信号が書き込まれることになる。
【０１４９】
即ち、図１５の第２サブフィールドＳＦ２にあるように、画像表示領域１０ａにおいて、太線で囲まれた３本の走査線に対応する３行の画素行に対する低解像度の書き込みが行われる。即ち、これらの３行の画素行中、１番上の走査線に対応する画素行だけが、各画素に付与された記号“Ｔ”で示されるように、本来供給されるべき画像信号が書き込まれる。それ以外の２行の画素行に対しては、各画素に付与された記号“〃”で示されるように、本来供給されるべきではない画像信号（しかし、走査線がより近いが故に、かなり似ている画像信号）が暫定的に書き込まれる。
【０１５０】
この際、暫定的に書き込まれる画像信号は、第１サブフィールドＳＦ１で暫定的に書き込まれた画像信号と比べて、より近くに位置する走査線に対応している分だけ、本来供給されるべき画像信号に近いものと考えることができ、よって、第２サブフィールドＳＦ２でのライン走査が完了すると、顕著に解像度が向上する。
【０１５１】
図１４（ｂ）に示すように、第２サブフィールドＳＦ２では続いて、走査信号Ｇ６が供給される走査線に対応する画像信号が、図１に示す画像信号供給回路５０２からデータ線６ａに供給される。すると、下側４本の走査線１１ａからなる走査線グループのうち、この走査信号Ｇ６に対応する画素行を含むと共に走査信号Ｇ５に対応する画素行を含まない３行の画素行（即ち「残余のグループ」）に対して、走査信号Ｇ６に対応する画像信号が書き込まれることになる。
【０１５２】
即ち、図１５の第２サブフィールドＳＦ２にあるように、画像表示領域１０ａにおいて、太線で囲まれた３本の走査線に対応する３行の画素行に対する低解像度の書き込みが行われる。即ち、これらの３行の画素行中、１番上の走査線に対応する画素行だけが、本来供給されるべき画像信号が書き込まれる。それ以外の２行の画素行に対しては、本来供給されるべきではない画像信号が暫定的に書き込まれる。
【０１５３】
同様に、図１２、図１３及び図１４（ｃ）に示すように、第３サブフィールドＳＦ３では、供給順序が第５番目及び第６番目となる走査信号Ｇ３及びＧ７が夫々順次に、１水平走査期間毎に出力される。これにより、図１５の第３サブフィールドＳＦ３にあるように、走査信号Ｇ３及びＧ７に対応する太線で囲まれた２行の画素行に対して、本来供給されるべき画像信号が書き込まれる。
【０１５４】
同様に、図１２、図１３及び図１４（ｄ）に示すように、第４サブフィールドＳＦ４では、供給順序が第７番目及び第８番目となる走査信号Ｇ４及びＧ８が夫々順次に、１水平走査期間毎に出力される。これにより、図１５の第４サブフィールドＳＦ４にあるように、走査信号Ｇ４及びＧ８に対応する太線で囲まれた一行の画素行に対して、本来供給されるべき画像信号が書き込まれる。
【０１５５】
以上説明したような第２から第４サブフィールドＳＦ２〜ＳＦ４の各々で、画像信号Ｖｄの書き込みが行われることで、各画素部の画素電極９ａの電位は、第１サブフィールドＳＦ１で暫定的に書き込まれた画像信号Ｖｄに基づく電位から、本来書き込まれるべき画像信号Ｖｄに基づく電位となる。
【０１５６】
このように画像表示領域１０ａでは、第４サブフィールドＳＦ４における画像信号Ｖｄの書き込みが終了した後、各画素部において、Ｒ、Ｇ、Ｂのうち対応する一の色のフィールド画像を、本来の解像度で、即ち高解像度で表示することが可能となる。この高解像度での表示に至る以前に、第１サブフィールドＳＦ１における画像信号Ｖｄの書き込みが終了した後、各画素部において、Ｒ、Ｇ、Ｂのうち対応する一の色のフィールド画像を、低解像度で表示することが可能となる。
【０１５７】
以上図１２から図１５を参照して説明したように液晶装置が駆動されることにより、図１２におけるＲフィールドでは、明るさと解像度とにバランスの取れたＲ画像が画像表示領域１０ａに表示される。同様に、図１２におけるＧフィールドでは、明るさと解像度とにバランスの取れたＧ画像が画像表示領域１０ａに表示され、図１２におけるＢフィールドでは、明るさと解像度とにバランスの取れたＢ画像が画像表示領域１０ａに表示される。
【０１５８】
以上詳細に説明したように、本実施形態によれば、液晶装置においてＦＳ方式により、より明るく高精細な画像をより容易に表示させることが可能となる。
【０１５９】
＜電気光学装置＞
次に、上述したような各実施形態が適用される電気光学装置の構成について、図１６及び図１７を参照して説明する。ここに図１６は、本実施形態に係る液晶装置の構成を示す平面図であり、図１７は、図１６のＨ−Ｈ´線断面図である。尚、以下では本発明の電気光学装置の一例として、駆動回路内蔵型のＴＦＴ（Thin Film Transistor）アクティブマトリクス駆動方式の液晶装置を例にとる。
【０１６０】
図１６及び図１７において、本実施形態に係る液晶装置では、ＴＦＴアレイ基板１０と対向基板２０とが対向配置されている。ＴＦＴアレイ基板１０は、例えば石英基板、ガラス基板、シリコン基板等の透明基板である。対向基板２０も、ＴＦＴアレイ基板１０と同様に、透明基板である。ＴＦＴアレイ基板１０と対向基板２０との間に液晶層５０が封入されている。ＴＦＴアレイ基板１０と対向基板２０とは、複数の画素電極が設けられた画像表示領域１０ａの周囲に位置するシール領域に設けられたシール材５２により相互に接着されている。
【０１６１】
シール材５２は、両基板を貼り合わせるための、例えば紫外線硬化樹脂、熱硬化樹脂等からなり、製造プロセスにおいてＴＦＴアレイ基板１０上に塗布された後、紫外線照射、加熱等により硬化させられたものである。シール材５２中には、ＴＦＴアレイ基板１０と対向基板２０との間隔（即ち、基板間ギャップ）を所定値とするためのグラスファイバ或いはガラスビーズ等のギャップ材５６が散布されている。
【０１６２】
シール材５２が配置されたシール領域の内側に並行して、画像表示領域１０ａの額縁領域を規定する遮光性の額縁遮光膜５３が、対向基板２０側に設けられている。但し、このような額縁遮光膜５３の一部又は全部は、ＴＦＴアレイ基板１０側に内蔵遮光膜として設けられてもよい。
【０１６３】
周辺領域のうち、シール材５２が配置されたシール領域の外側に位置する領域には、データ線駆動回路１０１及び外部回路接続端子１０２がＴＦＴアレイ基板１０の一辺に沿って設けられている。走査線駆動回路１０４は、この一辺に隣接する２辺に沿い、且つ、額縁遮光膜５３に覆われるようにして設けられている。更に、このように画像表示領域１０ａの両側に設けられた二つの走査線駆動回路１０４間をつなぐため、ＴＦＴアレイ基板１０の残る一辺に沿い、且つ、額縁遮光膜５３に覆われるようにして複数の配線１０５が設けられている。尚、サンプリング回路７は、データ線駆動回路１０１と同様に、ＴＦＴアレイ基板１０の一辺に沿って且つ額縁遮光膜５３に覆われるようにして設けられる。
【０１６４】
ＴＦＴアレイ基板１０上には、対向基板２０の４つのコーナー部に対向する領域に、両基板間を上下導通材で接続するための上下導通端子１０６が配置されている。これらにより、ＴＦＴアレイ基板１０と対向基板２０との間で電気的な導通をとることができる。
【０１６５】
図１７において、ＴＦＴアレイ基板１０上には、画素スイッチング用のＴＦＴや走査線、データ線等の配線が形成された後の画素電極９ａ上に、配向膜１６が形成されている。画素電極９ａは、ＩＴＯ（Indium Tin Oxide）膜などの透明導電膜からなり、配向膜１６は、ポリイミド膜などの有機膜からなる。他方、対向基板２０上には、格子状又はストライプ状の遮光膜２３が形成された後に、その全面に亘って対向電極２１が設けられており、更には最上層部分に配向膜２２が形成されている。対向電極２１は、ＩＴＯ膜などの透明導電膜からなり、配向膜２２は、ポリイミド膜などの有機膜からなる。このように構成され、画素電極９ａと対向電極２１とが対面するように配置されたＴＦＴアレイ基板１０と対向基板２０との間には、液晶層５０が形成されている。液晶層５０は、例えば一種又は数種類のネマティック液晶を混合した液晶からなり、これら一対の配向膜間で所定の配向状態をとる。
【０１６６】
尚、図１６及び図１７に示したＴＦＴアレイ基板１０上には、これらのデータ線駆動回路１０１、走査線駆動回路１０４等の駆動回路に加えて、複数のデータ線に所定電圧レベルのプリチャージ信号を画像信号に先行して各々供給するプリチャージ回路、製造途中や出荷時の当該電気光学装置の品質、欠陥等を検査するための検査回路等を形成してもよい。
【０１６７】
＜電子機器＞
次に、上述した電気光学装置である液晶装置を各種の電子機器に適用する場合について説明する。ここに図１８は、プロジェクタの構成例を概略的に示す平面図である。以下では、この液晶装置をライトバルブとして用いたプロジェクタについて説明する。
【０１６８】
図１８に示されるように、プロジェクタ１１００内部には、ＲＧＢの３原色に夫々対応したＬＥＤ１１０Ｒ、１１０Ｇ及び１１０Ｂが設けられている。ＬＥＤ１１０Ｒ、１１０Ｇ及び１１０Ｂは、例えば６０Ｈｚの周期で夫々順次に光を投射する。ＬＥＤ１１０Ｒ、１１０Ｇ及び１１０Ｂから射出された投射光は、夫々合成プリズム１３００に入射した後、ライトバルブとしての液晶パネル１２００に対して出射される。
【０１６９】
液晶パネル１２００の構成は、上述した液晶装置と同等であり、画像信号処理回路から供給される信号でそれぞれ駆動されるものである。そして、液晶パネル１２００によって変調された光は、投射レンズ１４００を介して投影される。これにより、スクリーン等にカラー画像が投写されることとなる。
【０１７０】
本実施形態に係るプロジェクタ１１００では、Ｒ、Ｇ、Ｂの各原色に対応するＬＥＤ１１０Ｒ、１１０Ｇ及び１１０Ｂが設けられているため、カラーフィルタを設けなくともよい。よって、コストの削減が可能な他、投射光がカラーフィルタを通過しないため、高輝度が得られる。
【０１７１】
尚、図１８を参照して説明した電子機器の他にも、モバイル型のパーソナルコンピュータや、携帯電話、液晶テレビや、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた装置等が挙げられる。そして、これらの各種電子機器に適用可能なのは言うまでもない。
【０１７２】
本発明は、上述した実施形態に限られるものではなく、請求の範囲及び明細書全体から読み取れる発明の要旨或いは思想に反しない範囲で適宜変更可能であり、そのような変更を伴う表示装置の駆動方法及び駆動回路、並びに電気光学装置及び電子機器もまた本発明の技術的範囲に含まれるものである。
【符号の説明】
【０１７３】
６ａ…データ線、７…サンプリング回路、９…画素部、１１ａ…走査線、１００…液晶パネル、１０１…データ線駆動回路、１０４…走査線駆動回路、２００…光源、５０２…画像信号供給回路、５０６…光源制御回路。
【図１】
0005472428.tif 000002
【図２】
0005472428.tif 000003
【図３】
0005472428.tif 000004
【図４】
0005472428.tif 000005
【図５】
0005472428.tif 000006
【図６】
0005472428.tif 000007
【図７】
0005472428.tif 000008
【図８】
0005472428.tif 000009
【図９】
0005472428.tif 000010
【図１０】
0005472428.tif 000011
【図１１】
0005472428.tif 000012
【図１２】
0005472428.tif 000013
【図１３】
0005472428.tif 000014
【図１４】
0005472428.tif 000015
【図１５】
0005472428.tif 000016
【図１６】
0005472428.tif 000017
【図１７】
0005472428.tif 000018
【図１８】
0005472428.tif 000019